(57)【特許請求の範囲】
【請求項１】
金属平板（５）および金属波板（６）を相互の非接合状態で交互に巻回して成るハニカム筒体（７）が、円筒状のハウジング（８）内に収納される金属製触媒担体において、
前記ハウジング（８）内の前記ハニカム筒体（７）の回転防止ならびに前記ハウジング（８）の周方向に沿う前記金属平板（５）および前記金属波板（６）の相対変位阻止を図るための第１および第２ストッパ（９1 ；９2 ，９2 ′）を備え、
前記第１ストッパ（９1 ）は、前記ハニカム筒体（７）の一端中央部にその第１の直径線（Ｌ1 ）にほぼ沿って接触する第１中央抜止め部（１０1 ）と、その第１中央抜止め部（１０1 ）の両端に一端がそれぞれ連設されて前記ハニカム筒体（７）を軸方向に貫通する一対の第１拘束杆部（１１1 ）と、その両第１拘束杆部（１１1 ）の他端に内端がそれぞれ連設されていて前記ハニカム筒体（７）の他端側方部に接触するとともに外端がそれぞれ前記ハウジング（８）の他端部側壁に接合される、前記第１の直径線（Ｌ1 ）と平行な一対の第１側方抜止め部（１２1 ）とから成り、
前記第２ストッパ（９2 ，９2 ′）は、前記ハニカム筒体（７）の一端側方部に前記第１の直径線（Ｌ1 ）と交差する第２の直径線（Ｌ2 ）にほぼ沿って接触するとともに前記ハウジング（８）の一端部側壁に外端がそれぞれ接合される一対の第２側方抜止め部（１２2 ，１２2 ′）と、その両第２側方抜止め部（１２2 ，１２2 ′）の内端に一端がそれぞれ連設されて前記ハニカム筒体（７）を軸方向に貫通する一対の第２拘束杆部（１１2 ，１１2 ′）と、その両第２拘束杆部（１１2 ，１１2 ′）の他端に両端が連設されるとともに前記ハニカム筒体（７）の他端中央部に接触する、前記第２の直径線（Ｌ2 ）と平行な第２中央抜止め部（１０2 ，１０2 ′）とから成ることを特徴とする、金属製触媒担体。
【請求項２】
前記第１および第２中央抜止め部（１０1 ；１０2 ，１０2 ′）ならびに前記第１および第２側方抜止め部（１２1 ；１２2 ，１２2 ′）と、前記ハニカム筒体（７）との接触部が相互に接合されることを特徴とする、請求項１記載の金属製触媒担体。
【発明の詳細な説明】
【０００１】
【発明の属する技術分野】
本発明は、金属平板および金属波板を相互の非接合状態で交互に巻回して成るハニカム筒体が、円筒状のハウジング内に収納される金属製触媒担体に関する。
【０００２】
【従来の技術】
ところで、金属平板および金属波板が相互に接合されていないままでのハニカム筒体をハウジング内に収納して金属製触媒担体を構成すると、ハウジング内のガスの流通により、ハニカム筒体の中心部に位置する金属平板および金属波板がハニカム筒体の軸方向に沿って突出する現象、所謂フィルムアウト現象が生じるものであり、そのようなフィルムアウト現象の発生を防止するために、特開昭６３−９４０１５号公報で開示されるように、ハウジングの両端にそれぞれ設けられた抜止め部材にハニカム筒体の両端をそれぞれ接触させるようにしたものがある。
【０００３】
【発明が解決しようとする課題】
ところが、上記特開昭６３−９４０１５号公報で開示されたものでは、ハニカム筒体のハウジングからの突出が抜止め部材により阻止されるので、フィルムアウト現象の発生を防止することができるものの、ハウジングの周方向に沿うハニカム筒体の移動、ならびに金属平板および金属波板の前記周方向に沿う変位が許容されているので、ハニカム筒体がハウジング内で回転することがあり、またその回転に伴って金属平板および金属波板が周方向に相対変位し、金属平板および金属波板の表面にそれぞれ担持されている担持物の剥離による浄化効率の低下、ならびにハニカム筒体の変形が生じるおそれがあった。
【０００４】
本発明は、かかる事情に鑑みてなされたものであり、フィルムアウト現象の発生を防止するとともにハニカム筒体の回転を防止し、しかも金属平板および金属波板の周方向相対変位を極力阻止し得るようにした金属製触媒担体を提供することを目的とする。
【０００５】
【課題を解決するための手段】
上記目的を達成するために、請求項１記載の発明は、金属平板および金属波板を相互の非接合状態で交互に巻回して成るハニカム筒体が、円筒状のハウジング内に収納される金属製触媒担体において、前記ハウジング内の前記ハニカム筒体の回転防止ならびに前記ハウジングの周方向に沿う前記金属平板および前記金属波板の相対変位阻止を図るための第１および第２ストッパを備え、前記第１ストッパは、前記ハニカム筒体の一端中央部にその第１の直径線にほぼ沿って接触する第１中央抜止め部と、その第１中央抜止め部の両端に一端がそれぞれ連設されて前記ハニカム筒体を軸方向に貫通する一対の第１拘束杆部と、その両第１拘束杆部の他端に内端がそれぞれ連設されていて前記ハニカム筒体の他端側方部に接触するとともに外端がそれぞれ前記ハウジングの他端部側壁に接合される、前記第１の直径線と平行な一対の第１側方抜止め部とから成り、前記第２ストッパは、前記ハニカム筒体の一端側方部に前記第１の直径線と交差する第２の直径線にほぼ沿って接触するとともに前記ハウジングの一端部側壁に外端がそれぞれ接合される一対の第２側方抜止め部と、その両第２側方抜止め部の内端に一端がそれぞれ連設されて前記ハニカム筒体を軸方向に貫通する一対の第２拘束杆部と、その両第２拘束杆部の他端に両端が連設されるとともに前記ハニカム筒体の他端中央部に接触する、前記第２の直径線と平行な第２中央抜止め部とから成ることを特徴とする。
【０００６】
また請求項２記載の発明は、上記請求項１記載の発明の構成に加えて、前記第１および第２中央抜止め部ならびに前記第１および第２側方抜止め部と、前記ハニカム筒体との接触部が相互に接合されることを特徴とする。
【０００７】
【発明の実施の形態】
以下、本発明の実施形態を、添付図面に示した本発明の実施例に基づいて説明する。
【０００８】
図１ないし図４は本発明の第１実施例を示すものであり、図１は金属製触媒担体の一部切欠き斜視図、図２は金属製触媒担体の縦断面図、図３は第１および第２ストッパの斜視図、図４は図２の４−４線拡大断面図である。
【０００９】
先ず図１において、金属製触媒担体は、金属平板５および金属波板６を交互に巻回して構成されるハニカム筒体７が、円筒状のハウジング８内に収納されて成るものである。
【００１０】
上記ハニカム筒体７は、金属平板５および金属波板６を相互に非接合状態としてハウジング８内に収納されるものであり、ハウジング８には、ハニカム筒体７の中心部に位置する金属平板５および金属波板６がハニカム筒体７の軸方向に沿ってハウジング８から突出することを防止するとともに、ハウジング８内のハニカム筒体７の回転防止ならびにハウジング８の周方向に沿う金属平板５および金属波板６の相対変位阻止を図るために、第１および第２ストッパ９1 ，９2 が固着される。
【００１１】
図２および図３を併せて参照して、第１ストッパ９1 は、ハニカム筒体７の一端中央部にその第１の直径線Ｌ1 にほぼ沿って接触する第１中央抜止め部１０1 と、第１中央抜止め部１０1 の両端に一端がそれぞれ連設されてハニカム筒体７を軸方向に貫通する一対の第１拘束杆部１１1 ，１１1 と、その両第１拘束杆部１１1 ，１１1 の他端に内端が連設されていてハニカム筒体７の他端側方部に接触するとともに外端がそれぞれハウジング８の他端部側壁に溶接等により接合される、前記第１の直径線Ｌ1 と平行な一対の第１側方抜止め部１２1 ，１２1 とから成るものである。
【００１２】
この第１ストッパ９1 は、たとえば金属丸棒材の屈曲加工により形成されるものであり、丸棒状である第１拘束杆部１１1 …は、図４で示すように、ハニカム筒体７における金属平板５および金属波板６で囲まれる部分を軸方向に貫通する。また第１中央抜止め部１０1 および第１側方抜止め部１２1 ，１２1 は、その横断面が四角形状となるように潰されており、第１中央抜止め部１０1 および第１側方抜止め部１２1 ，１２1 と、ハニカム筒体７の端部との接触部は、ハニカム筒体７の端部に対してたとえば４５度の方向からのレーザビーム溶接により相互に接合される。
【００１３】
第２ストッパ９2 は、上記第１ストッパ９1 と同様に、第２中央抜止め部１０2 、一対の第２拘束杆部１１2 ，１１2 および一対の第２側方抜止め部１２2 ，１２2 を有して金属丸棒材の屈曲加工により形成されるものである。而して第２中央抜止め部１０2 は、ハニカム筒体７において第１の直径線Ｌ1 と交差する第２の直径線Ｌ2 にほぼ沿ってハニカム筒体７の他端中央部に接触せしめられる。また第２の直径線Ｌ2 と平行に延びる前記一対の第２側方抜止め部１２2 ，１２2 は、外端がハウジング８の一端部側壁にそれぞれ接合され、ハニカム筒体７の他端側方部に接触せしめられる。さらに両第２拘束杆部１１2 ，１１2 は、その一端が両第２側方抜止め部１２2 ，１２2 の内端に連設されてハニカム筒体７を軸方向に貫通するものであり、第２中央抜止め部１０2 の両端が両第２拘束杆部１１2 ，１１2 の他端に連設される。
【００１４】
しかも第２中央抜止め部１０2 および第２側方抜止め部１２2 ，１２2 は、その横断面が四角形状となるように潰されており、第２中央抜止め部１０2 および第２側方抜止め部１２2 ，１２2 と、ハニカム筒体７の端部との接触部は、ハニカム筒体７の端部に対してたとえば４５度の方向からのレーザビーム溶接により相互に接合される。
【００１５】
次にこの実施例の作用について説明すると、ハニカム筒体７は、その金属平板５および金属波板６を相互に非接合状態としたままでハウジング８内に収納されるが、ハウジング８に固定されている第１ストッパ９1 の第１中央抜止め部１０1 と、ハウジング８に固定されている第２ストッパ９1 の第２側方抜止め部１２2 ，１２2 とがハニカム筒体７の一端に接触するとともに、第２ストッパ９2 の第２中央抜止め部１０2 と第１ストッパ９1 の第１側方抜止め部１２1 ，１２1 とがハニカム筒体７の他端に接触しており、ハニカム筒体７のハウジング８に対する軸方向相対移動が阻止されるとともに、ハニカム筒体７を構成する金属平板５および金属波板６の前記軸方向相対移動も阻止される。したがって、ハウジング８内をガスが流通しても、ハニカム筒体７の中心部に位置する金属平板５および金属波板６がハニカム筒体７の軸方向に沿って突出するフィルムアウト現象が生じることはない。
【００１６】
また第１ストッパ９1 の第１拘束杆部１１1 ，１１1 および第２ストッパ９2 の第２拘束杆部１１2 ，１１2 がハニカム筒体７を軸方向に貫通することにより、ハウジング８の周方向に沿う金属波板６の変位が周方向４個所で拘束されることになり、ハニカム筒体７の回転が防止されるとともに、ハウジング８の周方向に沿う金属平板５および金属波板６の相対変位が極力阻止される。しかも第１および第２中央抜止め部１０1 ，１０2 と、第１および第２側方抜止め部１２1 ，１２1 ，１２2 ，１２2 と、ハニカム筒体７の両端との接触部が相互に接合されることにより、金属平板５および金属波板６の周方向相対位置が両ストッパ９1 ，９2 で拘束されることになり、ハニカム筒体７の回転ならびにハウジング８の周方向に沿う金属平板５および金属波板６の相対変位がより確実に阻止される。したがって、金属平板５および金属波板６の表面にそれぞれ担持されている担持物が剥離することはなく浄化効率の低下を防止することができるとともに、ハニカム筒体７が変形することも確実に防止することができる。
【００１７】
さらに、両ストッパ９1 ，９2 は金属平板５および金属波板６の巻回工程でハニカム筒体７に装着されることになるが、その際、第１および第２中央抜止め部１０1 ，１０2 と、第１および第２側方抜止め部１２1 ，１２1 ，１２2 ，１２2 とで両端を規制されることにより、巻回後のハニカム筒体７の端面において金属平板５および金属波板６の軸方向ずれが生じることはない。
【００１８】
ところで、第１および第２ストッパ９1 ，９2 の形状が上記第１実施例のように相互に異なる場合には、第１ストッパ９1 の第１拘束杆部１１1 ，１１1 による拘束部位と、第２ストッパ９2 の第２拘束杆部１１2 ，１１2 による拘束部位とをハウジング８の半径方向に沿ってずらせることができ、ハウジング８の周方向に沿う金属波板６の変位をより確実に拘束し得るものであるが、図５で示す第２実施例のように、第１ストッパ９1 とは異なる形状の第２ストッパ９2 に代えて、第２中央抜止め部１０2 、一対の第２拘束杆部１１2 ′，１１2 ′および一対の第２側方抜止め部１２2 ′，１２2 ′を有して第１ストッパ９1 と同一の形状に形成された第２ストッパ９2 ′を用いるようにしてもよい。
【００１９】
以上、本発明の実施例を詳述したが、本発明は上記実施例に限定されるものではなく、特許請求の範囲に記載された本発明を逸脱することなく種々の設計変更を行なうことが可能である。
【００２０】
【発明の効果】
以上のように本発明によれば、フィルムアウト現象の発生を両ストッパの中央抜止め部および側方抜止め部によって防止することができる上に、金属平板に対して非接合状態に在る金属波板の周方向変位を４本の拘束杆部で拘束することができ、ハニカム筒体の回転を防止するとともに金属平板および金属波板の周方向相対変位を極力阻止することができる。
【００２１】
また特に請求項２の発明によれば、第１および第２中央抜止め部ならびに第１および第２側方抜止め部と、ハニカム筒体との接触部が相互に接合されるので、金属平板および金属波板の周方向相対変位を確実に拘束することができる。
【図面の簡単な説明】
【図１】  第１実施例の金属製触媒担体の一部切欠き斜視図である。
【図２】  金属製触媒担体の縦断面図である。
【図３】  第１および第２ストッパの斜視図である。
【図４】  図２の４−４線拡大断面図である。
【図５】  第２実施例の図３に対応した斜視図である。
【符号の説明】
５・・・金属平板
６・・・金属波板
７・・・ハニカム筒体
８・・・ハウジング
９1 ・・・第１ストッパ
９2 ・・・第２ストッパ
１０1 ・・・第１中央抜止め部
１０2 ，１０2 ′・・・第２中央抜止め部
１１1 ・・・第１拘束杆部
１１2 ，１１2 ′・・・第２拘束杆部
１２1 ・・・第１側方抜止め部
１２2 ，１２2 ′・・・第２側方抜止め部
Ｌ1 ・・・第１の直径線
Ｌ2 ・・・第２の直径線
【図１】
0003802592.tif 000002
【図２】
0003802592.tif 000003
【図３】
0003802592.tif 000004
【図４】
0003802592.tif 000005
【図５】
0003802592.tif 000006